(57)【要約】【課題】多数の板ガラスの端面加工が少ない行程で円滑に行なえるようにして、板ガラス製品の製造コストが低減できるようにする。【解決手段】多数の素材板ガラス（１）を、剥離可能な固着材（２）を介して一体的に積み重ねてなる素材ガラスブロック（Ａ）を設け、該素材ガラスブロック（Ａ）を分割して小面積の分割ガラスブロック（Ｂ）を形成し、平坦な研磨面を有する回転研磨盤（１２）と、外周に多数の可撓性のブラシ材（１３ｂ）を放射状に設けた回転ブラシ（１３）とを設け、回転研磨盤（１２）により前記分割ガラスブロック（Ｂ）の端面を研磨した後、該端面を回転ブラシ（１３）により研磨して各分割板ガラス（１−１）の縁部を面取りする。【選択図】図７
2010269389.tif 000002
【特許請求の範囲】
【請求項１】
多数の素材板ガラス（１）を、剥離可能な固着材（２）を介して一体的に積み重ねてなる素材ガラスブロック（Ａ）を設け、該素材ガラスブロック（Ａ）を分割して小面積の分割ガラスブロック（Ｂ）を形成し、平坦な研磨面を有する回転研磨盤（１２）と、外周に多数の可撓性のブラシ材（１３ｂ）を放射状に設けた回転ブラシ（１３）とを設け、回転研磨盤（１２）により前記分割ガラスブロック（Ｂ）の端面を研磨した後、該端面を回転ブラシ（１３）により研磨して各分割板ガラス（１−１）の縁部を面取りすることを特徴とする板ガラスの端面加工方法。
【請求項２】
回転ブラシ（１３）のブラシ材（１３ｂ）の線径は、各分割板ガラス（１−１）間に介在する固着材（２）の厚さよりも大径としたことを特徴とする請求項１記載の板ガラスの端面加工方法。
【請求項３】
素材板ガラス（１）の面に設ける固着材（２）は、外周が各分割ガラスブロック（Ｂ）の外周よりも若干内方に位置し、かつ内部が除去された中空状のパターンとしたことを特徴とする請求項１又は２記載の板ガラスの端面加工方法。
【発明の詳細な説明】
【技術分野】
【０００１】
本発明は、素材板ガラスを分割、及び端面加工して小面積の板ガラス製品を得る板ガラスの端面加工方法に関するものである。
【背景技術】
【０００２】
一般に、携帯電話のＬＣＤ（液晶表示装置）は透明なプラスチック板によって保護され、ＬＣＤに表示された情報を前記プラスチック板を介して視認するようになっている。
ところで、プラスチック板は傷が付きやすく、使用に伴って視認性が次第に低下することから、近年では板ガラスが台頭してきている。しかしながら、この板ガラスは脆性が高いため、縁部や端面に傷が発生していると使用時の衝撃、温度変化等によって傷口から亀裂が発生することになる。
【０００３】
従来は、板ガラスの端部を円盤状の回転砥石で加工するようにしていた。即ち、円盤状台金の外周面に衝撃吸収層を介して砥粒層を設けるとともに、外周に複数条の環状溝を設けてなる回転砥石を設け、該回転砥石の環状溝で板ガラスの端部を加工（面取り）するようにしていた（特許文献１）。
【０００４】
前記特許文献１は、回転砥石の外周に形成した環状溝で板ガラスの端部を加工するようにしていたので、該環状溝にガラス粉等の異物が詰まり易くなるものであった。また、多数の板ガラスを積み重ねて端部を面取りする際には、各分割板ガラスの端面を回転砥石の各状溝に対面させる必要があり、段取りに手数を要することになる。
【先行技術文献】
【特許文献】
【０００５】
【特許文献１】特開２００８−９３７４４号公報。
【発明の概要】
【発明が解決しようとする課題】
【０００６】
本発明は、多数の板ガラスの端面加工を少ない行程で円滑に行なえるようにすることにより、板ガラス製品の製造コストを低減することを目的とする。
【課題を解決するための手段】
【０００７】
本発明は、前記目的を達成するために以下の如く構成したものである。即ち、請求項１に係る発明は、多数の素材板ガラスを、剥離可能な固着材を介して一体的に積み重ねてなる素材ガラスブロックを設け、該素材ガラスブロックを分割して小面積の分割ガラスブロックを形成し、平坦な研磨面を有する回転研磨盤と、外周に多数の可撓性のブラシ材を放射状に設けた回転ブラシとを設け、回転研磨盤により前記分割ガラスブロックの端面を研磨した後、該端面を回転ブラシにより研磨して各分割板ガラスの縁部を面取りするようにしたものである。
請求項２に係る発明は、前記回転ブラシのブラシ材の線径を、各分割板ガラス間に介在する固着材の厚さよりも大径としたものである。
請求項３に係る発明は、前記素材板ガラスの面に設ける固着材を、外周が各分割ガラスブロックの外周よりも若干内方に位置し、かつ内部が除去された中空状のパターンとしたものである。
【発明の効果】
【０００８】
請求項１に係る発明は、分割ガラスブロックの端面を回転研磨板で研磨した後、該端面を回転ブラシで研磨するようにしたので、一度に多数の板ガラスの端面加工、及び縁部の面取り加工が行なえることになる。
請求項２に係る発明は、回転ブラシを分割ガラスブロックの端面に当てると、回転ブラシのブラシ材が積み重ねられた各分割板ガラスの上下縁部に接触し、この部を効率よく面取りすることになる。また、分割ガラスブロックの端面（外形）が複雑な形状であっても、該端面に各ブラシ材が馴染むことになり、各分割板ガラスの上下縁部を効率よく面取りすることになる。
請求項３に係る発明は、回転ブラシの各ブラシ材が固着材に接触することなく各分割板ガラスの上下縁部に接触し、該上下縁部を迅速に面取りすることになる。また、固着材は内部が除去された中空状のパターンとなっているので、消費量が低減することになる。
【図面の簡単な説明】
【０００９】
【図１】固着材を介在させて素材板ガラスを積み重ねる状態の斜視図である。
【図２】固着材を介在させて素材板ガラスを積み重ねた状態の部分拡大断面図である。
【図３】素材ガラスブロックの分割状態を示す斜視図である。
【図４】回転研磨盤による分割ガラスブロックの端面研磨状態を示す斜視図である。
【図５】端面研磨された分割ガラスブロックの斜視図である。
【図６】回転ブラシによる分割ガラスブロックの面取り状態を示す斜視図である。
【図７】図６の要部拡大断面図である。
【図８】加工の完了した製品単体の部分拡大断面図である。
【発明を実施するための形態】
【００１０】
以下本発明の実施例を図面に基いて説明する。図１において、１は携帯電話のＬＣＤ保護ガラス、ＬＣＤ表示ガラス等を得るための素材板ガラスであり、本例では、厚さ約０．７ｍｍ、縦及び横の幅がそれぞれ約５００ｍｍの透明なソーダガラス（ソーダ石灰ガラス）からなり、該素材板ガラス１を、例えば２０枚積み重ね、図２に示すように、固着材２を介して一体的に固着された素材ガラスブロックＡを形成する。
【００１１】
前記固着材２は、本例ではスクリーン印刷法により素材板ガラス１の両面に所定ピッチで固着してなり、図１に示すように、外周が素材板ガラス１の縦横の分割線Ｍよりも若干内方に位置し、かつ内部が除去された中空状のパターンとなっている。なお、前記固着材２は、光硬化性の液状固着材とし、これを各素材板ガラス１間に介在させ、紫外線（ＵＶ光）を照射して硬化させることにより、各素材板ガラス１を一体的に固着するようにしてもよい。
【００１２】
前記素材ガラスブロックＡを図２に示すように受け台１０に一体的に固着し、該素材ガラスブロックＡを図３に示すように、円板カッター（ダイヤモンドディスク）１１により分割線Ｍに沿って縦横に分割し、長辺が約７０ｍｍ、短辺が約４５ｍｍとなる平面視長方形状の分割ガラスブロックＢを多数形成する。
【００１３】
次いで、図４に示すように、円板体１２ａの上面に平坦な研磨面１２ｂを有する回転研磨盤１２を回転させ、研磨面１２ｂに研磨材を供給しながら前記分割ガラスブロックＢの各端面１ａを順次回転研磨盤１２の研磨面１２ｂに摺接させて研磨（ラッピング加工）し、該端面１ａに発生しているカッターマーク、傷等の凹凸を除去して鏡面に仕上げ、図５に示す一次研磨分割ガラスブロックＢ−１を得る。
【００１４】
次いで、図６に示すように、前記一次研磨分割ガラスブロックＢ−１を複数段積み重ね、これらの各端面１ａを回転ブラシ１３により研磨（ポリシング加工）する。回転ブラシ１３は、円筒体１３ａの外周に、線径が各分割板ガラス間に介在する固着材２の厚さよりも大径となる可撓性のブラシ材１３ｂを放射状に設けてなり、該回転ブラシ１３を回転させ、研磨材を供給しながらブラシ材１３ｂを一次研磨分割ガラスブロックＢ−１の各端面１ａに順次摺接させて該端面１ａを研磨する。この場合、図７に示すように、上下に隣接する分割板ガラス１−１，１−１間に対面する一部のブラシ材１３ｂ−１は、該分割板ガラス１−１，１−１の上下縁部（稜）１ｂに摺接し、該上下縁部１ｂを円弧状に面取りすることになる。
【００１５】
前記端面加工が終了した後、各分割板ガラス１−１を分離し、図８に示すように、端面１ａが鏡面に、上下縁部１ｂが円弧状に面取りされた、ＬＣＤ保護ガラス、ＬＣＤ表示ガラス等の板ガラス製品１−２を得る。なお、前記固着材２が光硬化性の固着材である場合は、前記端面加工の終了した各一次研磨分割ガラスブロックＢ−１を温水の張られた容器内に収容し、これらを約８０度〜９０度に昇温すると、上下の分割板ガラス１−１，１−１間に介在していたフィルム状の固着材２ａが軟化し、各分割板ガラス１−１から剥離することになり、剥離した固着材を容易に回収することができる。
【００１６】
前記実施例によれば、多数の分割板ガラス１−１を重ねた分割ガラスブロックＢの端面１ａを回転研磨板１２で一括研磨した後、該端面１ａを回転ブラシ１３で一括研磨するようにしたので、一度に多数の板ガラスの端面加工、及び縁部の面取り加工が行なえることになる。また、多数の素材板ガラス１を積み重ねた状態で、分割、及び端面加工するようにしたので、加工途中での板ガラスの分解、再重ね合わせ等が不要となり、板ガラス製品の製造コストが低減することになる。
【００１７】
また、円板カッター１１により分割された分割ガラスブロックＢの端面１ａを回転研磨盤１２により研磨した後、該端面１を回転ブラシ１３により研磨するようにしたので、円板カッター１１により分割されて発生した端部のカッターマーク、傷等の凹凸は主として回転研磨盤１２により除去され、各分割板ガラス１−１の上下縁部１ｂの面取りは主として回転ブラシ１３により行われることとなり、分割した板ガラスの端面及び面取り加工が迅速に行えることになる。
【符号の説明】
【００１８】
Ａ    素材ガラスブロック
Ｂ    分割ガラスブロック
Ｂ−１    一次研磨分割ガラスブロック
１    素材板ガラス
１−１    分割板ガラス
１−２    製品
１ａ  端面
１ｂ  縁部
２    固着材
１０    受け台
１１    円板カッター
１２    回転研磨盤
１２ａ  円板体
１２ｂ  研磨面
１３    回転ブラシ
１３ａ  円筒体
１３ｂ  ブラシ材
【図１】
2010269389.tif 000003
【図２】
2010269389.tif 000004
【図３】
2010269389.tif 000005
【図４】
2010269389.tif 000006
【図５】
2010269389.tif 000007
【図６】
2010269389.tif 000008
【図７】
2010269389.tif 000009
【図８】
2010269389.tif 000010